(57)【要約】【課題】電子機器とのケーブル接続を容易とし、ケーブル接続に起因した問題点を解消することができる電子機器収納テーブルを提供する。【解決手段】デスク本体３上面１１の段差面１２に、キーボード１３を配置するキーボード収納部１４を形成し、キーボード収納部１４を、キーボードカバー部１７で開閉自在とする。キーボード収納部１４の後壁１５にコネクタパネル３１を設け、コネクタパネル３１に、収納部５内のサーバーコンピュータ８に接続されたコネクタ３２を設ける。キーボード収納部１４奥側に、液晶ディスプレイ４１を備えたＬＣＤユニット４２を傾倒自在に設け、デスク本体３の上面１１に沿って傾倒された傾倒状態４３と、上面１１に対して起立した起立状態４４とを任意に形成できるように構成する。デスク本体３の背面５１に、ＡＣ供給用接続器具５２とＬＡＮ接続用のコネクタとを設ける。【選択図】        図１
2005025242.tif 000002
【特許請求の範囲】
【請求項１】
デスク本体にサーバー等の電子機器を収容する収納部が設けられた電子機器収納デスクにおいて、
前記デスク本体の上面に、キーボードカバー部によって開閉されるキーボード収納部を設け、該キーボード収納部内に、前記収納部の前記電子機器に接続されたコネクタを有するコネクタパネルを設けるとともに、
前記上面に、液晶ディスプレイを備えたＬＣＤユニットを傾倒自在に設け、該ＬＣＤユニットが前記上面に沿って傾倒された傾倒状態と、前記上面に対して起立した起立状態とを任意に形成可能に構成する一方、
前記デスク本体背面に、前記収納部内の前記電子機器に電源を供給する為のＡＣ供給用接続器具と、前記電子機器に接続されたＬＡＮ接続用のコネクタとを設けたことを特徴とする電子機器収納ディスク。
【発明の詳細な説明】
【０００１】
【発明の属する技術分野】
本発明は、サーバーコンピュータ等の電子機器を収容する電子機器収容デスクに関する。
【０００２】
【従来の技術】
近年、オフィスのネットワーク化が進み、オフィスや関連施設へのネットワーク機器の設置が増えている。
【０００３】
従来では、電子機器収容ラックにサーバーコンピュータ等の電子機器を収容してネットワークの構築を行っていたが、サーバーコンピュータ等の電子機器の小型化・性能の向上、ネットワークの分散化により、大型ラック以外に、小型の電子機器収納ラックやデスクの使用が増えてきた。
【０００４】
【発明が解決しようとする課題】
しかしながら、モニタやキーボードと、ラックやデスク内のサーバーコンピュータ等の電子機器とをケーブル接続する場合に、カバーへの通線穴加工や配線工事等が発生し、重要信号ケーブル保護の意味でも問題が生じていた。
【０００５】
また、外部からのＡＣケーブルや信号ケーブルも、ラックやテーブル内に導入する必要がある。
【０００６】
さらに、ケーブル通線穴の防塵性が低く、塵・埃による内部機器への悪影響も懸念されていた。
【０００７】
そして、システムによっては、サーバーコンピュータ等の電子機器のメンテナンス時のみに、モニタやキーボードを使用することがあり、通常は、スライド式テーブルや棚を用いてモニタやキーボードをラックやテーブル内に収容したり、ラック天井部及びデスクテーブル面にモニタやキーボードを設置していた。この為、必要以上のラックサイズへの設置やテーブル上面スペースの有効活用が出来なかった。
【０００８】
また、この方法で設置された場合は、機器の交換や、レイアウト変更、ラックやテーブルの移設時に、大変な労力を要し、かつ機器やケーブルの損傷も考えられる。
【０００９】
本発明は、このような従来の課題に鑑みてなされたものであり、電子機器とのケーブル接続を容易とし、ケーブル接続に起因した問題点を解消することができる電子機器収納テーブルを提供することを目的とするものである。
【００１０】
【課題を解決するための手段】
前記課題を解決するために本発明の電子機器収納ディスクにあっては、デスク本体にサーバー等の電子機器を収容する収納部が設けられた電子機器収納デスクにおいて、前記デスク本体の上面に、キーボードカバー部によって開閉されるキーボード収納部を設け、該キーボード収納部内に、前記収納部の前記電子機器に接続されたコネクタを有するコネクタパネルを設けるとともに、前記上面に、液晶ディスプレイを備えたＬＣＤユニットを傾倒自在に設け、該ＬＣＤユニットが前記上面に沿って傾倒された傾倒状態と、前記上面に対して起立した起立状態とを任意に形成可能に構成する一方、前記デスク本体背面に、前記収納部内の前記電子機器に電源を供給する為のＡＣ供給用接続器具と、前記電子機器に接続されたＬＡＮ接続用のコネクタとを設けた。
【００１１】
すなわち、デスク本体のキーボード収容部に、例えばキーボード・モニタ・マウス・ＵＳＢ用のコネクタパネルを設けることができ、配線穴等を経由して配線作業を行うことなく、キーボード収納部内にて、キーボードやＵＳＢ接続各種電子機器と、収納部内のサーバーコンピュータ等の電子機器との接続が行われる。
【００１２】
また、同様にデスク本体にＬＣＤユニットを設けることにより、液晶ディスプレイへのＡＣ供給・信号ケーブルの接続もデスク本体内部で行われる。
【００１３】
さらに、背面にＡＣ供給用接続器具とＬＡＮ接続用のコネクタとを設けたため、外部からのＡＣケーブルや信号ケーブルも、ＡＣ接続器具接続及びＬＡＮ接続用のコネクタ接続にて行われる。
【００１４】
そして、前記キーボード収容部は、キーボードカバー部によって開閉することができる。このため、未使用時には、キーボードカバー部を閉鎖しておくことにより、防塵性を高めることが出来る。また、ＬＣＤユニットも同様の効果が得られる。
【００１５】
さらに、キーボード収容部に設置されたキーボードと、収納部内のサーバーコンピュータ等の電子機器と接続する各種ケーブルは、コネクタ接続されている為、デスク本体内への通線による防塵性低下が最低限に抑えられる。また、ＬＣＤユニットもユニット化により同様の効果が得られる。
【００１６】
また、前記キーボード収容部及び前記ＬＣＤユニットの採用により、未使用時の液晶ディスプレイ及びキーボードの収容と、デスク本体の移設時の簡略化が図れる。
【００１７】
加えて、未使用時には、キーボード収容部のキーボードカバー部を閉鎖し、ＬＣＤユニットを傾倒すれば、通常のデスクとして利用される。
【００１８】
【発明の実施の形態】
以下、本発明の一実施の実施の形態を図面に従って説明する。図１は、本発明にかかる電子機器収納デスク１を示す図である。
【００１９】
この電子機器収納ディスク１は、フロント側のみにリフトロックキャスター２，・・・を備えたデスク本体３からなり、該デスク本体３の前面は、扉４で構成されている。該扉４の内部には、サーバーコンピュータ等の電子機器を収容する収納部５が設けられており、該収納部５内には、無停電電源ユニット６と、ハブ７と、サーバーコンピュータ８とが下段から順に設けられている。
【００２０】
前記デスク本体３の上面１１には、図２及び図３に示すように、一段低い段差面１２が前記扉４側に形成されており、この段差面１２によってキーボード１３を配置するキーボード収納部１４が形成されている。該キーボード収納部１４の後壁１５には、ヒンジ１６，１６を介して、キーボードカバー部１７が設けられており、該キーボードカバー部１７は、図３に示すように、奥側に倒されて前記キーボード収納部１４を開放した開放状態１８と、手前側に倒されて前記キーボード収納部１４を閉鎖した閉鎖状態１９とを任意に形成できるように構成されている。
【００２１】
この閉鎖状態１９では、当該キーボードカバー部１７のコ字状の周壁２１が前記段差面１２に当接した状態で前記キーボード１３との干渉と回避するとともに、当該キーボードカバー部１７の背面が前記上面１１と面一となるように構成されている。
【００２２】
前記キーボード収納部１４の内壁面を構成する前記後壁１５には、図１に示したように、コネクタパネル３１が設けられており、該コネクタパネル３１には、前記収納部５の前記サーバーコンピュータ８に接続されたコネクタ３２，・・・が配設されている。これらのコネクタ３２，・・・は、前記キーボード１３が接続されるキーボードコネクタ、他のモニターが接続されるモニタコネクタ、マウスが接続されるマウスコネクタ、ＵＳＢ機器が接続されるＵＳＢコネクタ等で構成されており、各コネクタ３２，・・・は、デスク本体３内に延出したケーブルを介して、前記サーバーコンピュータ８の対応するコネクタに接続されている。
【００２３】
また、前記コネクタパネル３１には、前記デスク本体３上で使用される他の電子機器に電源を供給する為のＡＣコンセントも設けられている（図示省略）。
【００２４】
前記キーボード収納部１４の奥側には、液晶ディスプレイ４１を備えたＬＣＤユニット４２が傾倒自在に設けられている。このＬＣＤユニット４２は、図外の支持機構によって支持されており、デスク本体３の上面１１に沿って傾倒された傾倒状態４３と、前記上面１１に対して起立した起立状態４４とを任意に形成できるように構成されている。前記傾倒状態４３においては、当該ＬＣＤユニット４２がデスク本体３内に収容され、その背面が前記上面１１と面一となるように構成されている。
【００２５】
そして、前記デスク本体３の背面５１には、図４に示すように、接続されるケーブルによって商用電源が供給されるＡＣ供給用接続器具５２が設けられており、該ＡＣ供給用接続器具５２は、デスク本体３内に配索されたケーブルを介して、前記収納部５内の前記無停電電源ユニット６に接続されている。該無停電電源ユニット６は、前記サーバーコンピュータ８及び前記ハブ７並びに前記ＡＣコンセントに接続されており、これらに商用電源を供給するように構成されている。
【００２６】
また、前記背面５１には、ＬＡＮ接続用のコネクタ８１が設けられており、このコネクタ８１は、前記サーバーコンピュータ８の対応するＬＡＮ接続用のコネクタに接続されている。これにより、このコネクタ８１と外部機器とを接続することによって、ネットワークを構築できるように構成されている。
【００２７】
以上の構成にかかる本実施の形態において、デスク本体３のキーボード収容部１４のコネクタパネル３１に、例えばキーボード・モニタ・マウス・ＵＳＢ用のコネクタ３２を設けることで、配線穴等を経由して配線作業を行うことなく、キーボード収納部１４内にて、キーボード１３やＵＳＢ接続各種電子機器と、収納部５内のサーバーコンピュータ８とを接続することができる。
【００２８】
また、同様にデスク本体３にＬＣＤユニット４２を設けることにより、液晶ディスプレイ４１へのＡＣ供給・信号ケーブルの接続もデスク本体３内部で行うことができる。
【００２９】
さらに、デスク本体３の背面５１にＡＣ接続器具５２とＬＡＮ接続用のコネクタ８１とを設けたため、外部からのＡＣケーブルや信号ケーブルも、ＡＣ接続器具接続及びＬＡＮ接続用のコネクタ接続にて行うことができる。
【００３０】
そして、前記キーボード収容部１４は、キーボードカバー部１７によって開閉することができる。このため、未使用時には、キーボードカバー部１７を閉鎖しておくことにより、防塵性を高めることが出来る。また、ＬＣＤユニット４２でも同様の効果を得ることができる。
【００３１】
さらに、キーボード収容部１４に設置されたキーボード１３と、収納部５内のサーバーコンピュータ８とに接続される各種ケーブルは、コネクタ接続されている為、デスク本体３内への通線による防塵性低下を最低限に抑えることができる。また、ＬＣＤユニット４２もユニット化により同様の効果を得ることができる。
【００３２】
また、前記キーボード収容部１４及び前記ＬＣＤユニット４２の採用により、未使用時の液晶ディスプレイ４１及びキーボード１３の収容と、デスク本体３の移設時の簡略化を図ることができる。
【００３３】
加えて、未使用時には、キーボード収容部１４のキーボードカバー部１７を閉鎖するとともに、ＬＣＤユニット４２を傾倒すれば、通常のデスクとして利用することもできる。
【００３４】
このように、液晶ディスプレイ４１やキーボード１３と、収納部５内のサーバーコンピュータ８とを接続するケーブルの接続方法の変更により、配線作業の容易さを図ることができる。
【００３５】
また、配線穴等によるケーブルの損傷及び防塵性低下による内部のサーバーコンピュータ８等の電子機器への悪影響の低減を図り、重要データの保護へ貢献することができる。
【００３６】
さらに、接続方法の変更により、デスク本体３上面スペースの有効活用やメンテナンス性の向上を図ることができるとともに、デスク本体３の移設を容易とすることができる。
【００３７】
加えて、デスク本体３背面５１に、ＡＣ供給用接続器具５２及びＬＡＮ接続用のコネクタ８１を設けた為、デスク本体３周辺のケーブルを減らし、作業者がケーブルに躓いて転倒するといった問題を防止することができ、安全性を高めることができる。
【００３８】
したがって、ケーブル接続に起因した問題点を解消することができる。
【００３９】
【発明の効果】
以上説明したように本発明の電子機器収納デスクにあっては、デスク本体のキーボード収容部に、例えばキーボード・モニタ・マウス・ＵＳＢ用のコネクタパネルを設けることで、配線穴等を経由して配線作業を行うことなく、キーボード収納部内にて、キーボードやＵＳＢ接続各種電子機器と、収納部内のサーバーコンピュータ等の電子機器とを接続することができる。
【００４０】
また、同様にデスク本体にＬＣＤユニットを設けることにより、液晶ディスプレイへのＡＣ供給・信号ケーブルの接続もデスク本体内部で行うことができる。
【００４１】
さらに、背面にＡＣ接続器具とＬＡＮ接続用のコネクタとを設けたため、外部からのＡＣケーブルや信号ケーブルも、ＡＣ接続器具接続及びＬＡＮ接続用のコネクタ接続にて行うことができる。
【００４２】
そして、前記キーボード収容部は、キーボードカバー部によって開閉することができる。このため、未使用時には、キーボードカバー部を閉鎖しておくことにより、防塵性を高めることが出来る。また、ＬＣＤユニットでも同様の効果を得ることができる。
【００４３】
さらに、キーボード収容部に設置されたキーボードと、収納部内のサーバーコンピュータ等の電子機器と接続される各種ケーブルは、コネクタ接続されている為、デスク本体内への通線による防塵性低下を最低限に抑えることができる。また、ＬＣＤユニットもユニット化により同様の効果を得ることができる。
【００４４】
また、前記キーボード収容部及び前記ＬＣＤユニットの採用により、未使用時の液晶ディスプレイ及びキーボードの収容と、デスク本体の移設時の簡略化を図ることができる。
【００４５】
加えて、未使用時には、キーボード収容部のキーボードカバー部を閉鎖するとともに、ＬＣＤユニットを傾倒すれば、通常のデスクとして利用することもできる。
【００４６】
このように、液晶ディスプレイやキーボードと、収納部内のサーバーコンピュータ等の電子機器とを接続するケーブルの接続方法の変更により、配線作業の容易さを図ることができる。
【００４７】
また、配線穴等によるケーブルの損傷及び防塵性低下による内部の電子機器への悪影響の低減を図り、重要データの保護へ貢献することができる。
【００４８】
さらに、接続方法の変更により、デスク本体上面スペースの有効活用やメンテナンス性の向上を図ることができるとともに、デスク本体の移設を容易とすることができる。
【００４９】
加えて、デスク本体背面に、ＡＣ供給用接続器具及びＬＡＮ接続用のコネクタを設けた為、デスク本体周辺のケーブルを減らし、作業者がケーブルに躓いて転倒するといった問題を防止することができ、安全性を高めることができる。
【００５０】
したがって、ケーブル接続に起因した問題点を解消することができる。
【図面の簡単な説明】
【図１】本発明の一実施の形態の正面図である。
【図２】同実施の形態の平面図である。
【図３】同実施の形態の側面図である。
【図４】同実施の形態の背面図である。
【符号の説明】
１    電子機器収納ディスク
３    デスク本体
５    収納部
８    サーバーコンピュータ
１１    上面
１３    キーボード
１４    キーボード収納部
１７    キーボードカバー部
３１    コネクタパネル
３２    コネクタ
４１    液晶ディスプレイ
４２    ＬＣＤユニット
４３    傾倒状態
４４    起立状態
５１    背面
５２    ＡＣ供給用接続器具
８１    コネクタ
【図１】
2005025242.tif 000003
【図２】
2005025242.tif 000004
【図３】
2005025242.tif 000005
【図４】
2005025242.tif 000006